(57)【要約】【課題】椅子の座面においても床面に置いても使用することができて、使用者の様々な生活様式に対応可能なマッサージ機能付きシートを提供する。【解決手段】マッサージ機能付きシート１は、椅子の座面または床面に置かれ、使用者の臀部に当接する座部２と、使用者の腰部に当接する腰当て部３と、使用者の左右の大腿部に当接する側縁部４とを有する。座部２に、左右の大腿部に対してそれぞれマッサージ効果を与えるように動作する左右一対の大腿部用エアバッグ５，５が設けられている。また、腰当て部３に、腰部に対してそれぞれマッサージ効果を与えるように動作する左右一対の腰部用エアバッグ６，６が設けられている。【選択図】図１
0003220425.tif 000002
【実用新案登録請求の範囲】
【請求項１】
椅子の座面または床面に置かれ、使用者の臀部および左右の大腿部に当接する座部と、使用者の腰部に当接する腰当て部とを有し、前記座部に前記左右の大腿部に対してそれぞれマッサージ効果を与えるように動作する左右一対の大腿部用エアバッグが設けられ、かつ前記腰当て部に前記腰部に対してそれぞれマッサージ効果を与えるように動作する左右一対の腰部用エアバッグが設けられていることを特徴とするマッサージ機能付きシート。
【請求項２】
請求項１に記載のマッサージ機能付きシートにおいて、前記座部の左右端からそれぞれ上方に立ち上がり前記腰当て部に連接する左右の側縁部を設け、前記座部と、前記腰当て部と、当該側縁部とで形成されるシート形状を、使用者の臀部周りの体曲線に沿って当接する形状に形成するとともに、前記腰当て部の腰部エアバッグの間に、使用者の座り具合によって加わる負荷に応じて使用者の腰部を適正な前後位置に誘導保持する前後位置保持弾性材が設けられたマッサージ機能付きシート。
【請求項３】
請求項１または請求項２に記載のマッサージ機能付きシートにおいて、前記座部に前記左右の大腿部をそれぞれ加温する左右一対の大腿部ヒーターが設けられ、かつ前記腰当て部に前記腰部を加温する腰部ヒーターが設けられたマッサージ機能付きシート。
【考案の詳細な説明】
【技術分野】
【０００１】
本考案は、椅子の座面または床面に置いて使用されるマッサージ機能付きシートに関する。
【背景技術】
【０００２】
現在、多く使用されているマッサージ椅子は、座り心地や座ったときの安定性に重きが置かれており、全体的に大きくて重い。このような大きくて重いマッサージ椅子を一般家庭で使用する場合、広い設置スペースが必要であるうえに、一度設置すると別の場所に移動させることが容易でない。このため、好みの場所で、例えばテレビを見たり音楽を聴いたりしながら、マッサージを受けることができない。
【０００３】
上記従来のマッサージ椅子における設置スペースが広く移動させ難いという問題点を解決するために、折り畳んで移動可能なマッサージ機能付きの座椅子が提案されている（特許文献１）。
【先行技術文献】
【特許文献】
【０００４】
【特許文献１】特開２０１５−０６６０３８号
【考案の概要】
【考案が解決しようとする課題】
【０００５】
上記提案の座椅子は、床面に置いて使用することに限定されており、椅子に腰かけた状態でマッサージを受けることができない。このため、フローリング等の椅子を使って生活する空間では使用できない。また、足の曲げ伸ばしが不自由な人や、床に座った状態から起き上がるのが困難な人にとっては、足を伸ばした姿勢で座る座椅子は使い難い。
【０００６】
この考案の目的は、椅子の座面においても床面に置いても使用することができて、使用者の様々な生活様式に対応可能にするとともに、特に、デスクワーク等により椅子に長時間座ったままの場合に、椅子の座面に置いて使用することで、負担のかかった腰や臀部の凝りをとり血行を良くするマッサージ機能を発揮することができるマッサージ機能付きシートを提供することである。
【課題を解決するための手段】
【０００７】
上記の課題を解決するために、本考案は、次のように構成した。すなわち、本考案に係るマッサージ機能付きシートは、椅子の座面または床面に置かれ、使用者の臀部および左右の大腿部に当接する座部と、使用者の腰部に当接する腰当て部とを有し、前記座部に前記左右の大腿部に対してそれぞれマッサージ効果を与えるように動作する左右一対の大腿部用エアバッグが設けられ、かつ前記腰当て部に前記腰部に対してそれぞれマッサージ効果を与えるように動作する左右一対の腰部用エアバッグが設けられていることを特徴としている。
【０００８】
この構成によると、左右一対の大腿部用エアバッグが定められた動作をすることで、使用者の左右の大腿部に対してそれぞれマッサージ効果を与えると共に、腰部用エアバッグが定められた動作をすることで、使用者の腰部に対してマッサージ効果を与える。
【０００９】
このマッサージ機能付きシートは、椅子の座面に置いて使用することも、床面に置いて使用することもできる。このため、使用者の生活様式に合わせて、好みの空間で使用できる。また、椅子に腰かけた姿勢で使用できるため、足の曲げ伸ばしが不自由な人や、床に座った状態から起き上がるのが困難な人が楽にマッサージを受けることができる。
【００１０】
この考案のマッサージ機能付きシートにおいて、座部の左右端からそれぞれ上方に立ち上がり腰当て部に連接する側縁部を設け、座部と、腰当て部と、当該側縁部とで形成されるシート形状を、使用者の臀部と腰周りの体曲線に沿って当接する形状に形成するとともに、前記左右一対の腰部用エアバッグの間に、使用者の座り具合によって加わる負荷に応じて使用者の腰部を適正な前後位置に誘導保持する前後位置保持弾性部材が設けられていてもよい。この場合、シート形状が使用者の臀部周りの体曲線に沿って絶妙に当接する形状に形成されており、使用者の座り具合によって加わる負荷に応じて前後位置保持弾性材により使用者の腰部が適正な前後位置に保持されるように弾性力が発揮されるので、背筋が伸びた正しい姿勢に保つことができる。
【００１１】
この場合、座部と腰掛け部と左右の側縁部とが使用者の臀部と腰周りの体曲線に沿って当接し使用者の腰回りが囲まれた状態となるので、座位の姿勢そのものが安定する。また、側縁部に手を掛けることで、より姿勢を安定させることができる。
【００１２】
また、この考案のマッサージ機能付きシートにおいて、前記座部に前記左右の大腿部をそれぞれ加温する左右一対の大腿部ヒーターが設けられ、かつ前記腰当て部に前記腰部を加温する腰部ヒーターが設けられていてもよい。この場合、大腿部および腰部を加温することで、マッサージ効果を高めることができる。
【考案の効果】
【００１３】
この考案のマッサージ機能付きシートは、椅子の座面または床面に置かれ、使用者の臀部および左右の大腿部に当接する座部と、使用者の腰部に当接する腰当て部とを有し、前記座部に前記左右の大腿部に対してそれぞれマッサージ効果を与えるように動作する左右一対の大腿部用エアバッグが設けられ、かつ前記腰当て部に前記腰部に対してそれぞれマッサージ効果を与えるように動作する左右一対の腰部用エアバッグが設けられているため、椅子の座面においても床面に置いても使用することができて、使用者の様々な生活様式に対応可能である。また、デスクワーク等により椅子に長時間座ったままの場合に、椅子の座面に置いて使用することで、負担のかかった腰や臀部の凝りをとり血行を良くするマッサージを行うことができる
【図面の簡単な説明】
【００１４】
【図１】本考案のマッサージ機能付きシートの実施例を示す斜視図である。
【図２】同マッサージ機能付きシートを異なる方向から見た斜視図である。
【図３】同マッサージ機能付きシートの一使用状態を示す図である。
【図４】同マッサージ機能付きシートの異なる使用状態を示す図である。
【図５】同マッサージ機能付きシートのさらに異なる使用状態を示す図である。
【考案を実施するための形態】
【００１５】
以下、本考案の実施の形態について図面に基づき説明する。
【００１６】
図１は本考案のマッサージ機能付きシートの実施例を示す斜視図、図２は同マッサージ機能付きシートを異なる方向から見た斜視図である。両図おいて、マッサージ機能付きシート１は、互いに一体に形成された座部２、腰当て部３、および左右の側縁部４，４で構成される。
【００１７】
座部２は、通常、椅子の座面または床面に置かれる部分であり、水平に広がる形状である。腰当て部３は、座部２の後端から上方に立ち上がっている。左右の側縁部４，４は、座部２の左右端からそれぞれ上方に立ち上がっており、その後端が腰当て部３に繋がっている。これら座部２と、腰当て部３と、当該側縁部４とで形成されるシート形状は、使用者の臀部周りの体曲線に沿って当接する形状に形成されており、座部２の上面、腰当て部３の正面、および側縁部４，４の内側面には、クッション性を有するカバーで覆われている。また、腰当て部３の左右中央部の正面近くの使用者の臀部から腰部が当接する部位には、使用者の当該体曲線に沿って上下に延びる前後位置保持弾性材３ａが設けられている。
【００１８】
使用者が、このマッサージ機能付きシート１に座った場合（図３、図４参照）、座部２に臀部および左右の大腿部が当たり、腰当て部３に腰部が当たる。左右の側縁部４，４は臀部、大腿部、および腰部の左右両側に位置する。つまり、座部２、腰当て部３、および左右の側縁部４，４で囲まれた内側空間に、使用者の腰回りが体曲線に沿って嵌り込んだ状態となる。この時、座部２の裏側底面、座部２と腰当て部３及び側縁部４との連接部外側面とが、内側空間に形成される体曲線と同様な滑らかな曲面に形成されているので、使用者が座ろうとすると、左右前後にシート１全体が軽くゆらゆらと揺動し、この揺れを意識しながら真っすぐに座ろうと意識すれば、腰当て部３の前後位置保持弾性材３ａが、使用者の座り具合によって加わる負荷に応じて前後方向に弾性力が働き、使用者の腰部が適正な前後位置に保持されるように誘導され、背筋が伸びた正しい姿勢で座ることができるように構成されている。
【００１９】
図１に示すように、座部２には、左右一対の大腿部用エアバッグ５，５が設けられている。大腿部用エアバッグ５，５は、図示しない機構により膨張および収縮することにより、左右の大腿部に対してそれぞれマッサージ効果を与える。例えば、大腿部の裏側の筋肉（大腿二頭筋）を揉みほぐす等の動作を行う。
【００２０】
腰当て部３には、左右一対の腰部用エアバッグ６，６が設けられている。前記前後位置保持材３ａは、左右の腰部用エアバッグ６，６の間に位置している。腰部用エアバッグ６，６の中央部は、それぞれ正面側に突き出た突起部６ａ，６ａになっている。腰部用エアバッグ６，６も、前記同様に膨張および収縮することにより、腰部に対してマッサージ効果を与える。例えば、前記突起部６ａ，６ａが腰部を圧迫してつぼ押し等の動作を行う。
【００２１】
また、このマッサージ機能付きシート１には、左右一対の大腿部ヒーター７，７および腰部ヒーター８が設けられている。大腿部ヒーター７，７は、前記大腿部用エアバッグ５，５よりも後ろ側の位置に、座部２から左右の側縁部４，４にわたって設けられており、左右の大腿部をそれぞれ加温する。腰部ヒーター８は、腰当て部３における左右の腰部用エアバッグ６，６の間の位置で、かつ前後位置保持弾性材３ａよりも正面側に設けられており、腰部を加温する。
【００２２】
図２に示すように、左右片方（この例では右）の側縁部４の上部から、外部電源接続用のコネクタ１０が出ている。このコネクタ１０に外部電源を接続することで、マッサージ機能付きシート１が動作可能となる。また、同側縁部４の外側面に、電源ボタン１１およびヒーターボタン１２が設けられている。電源ボタン１１をＯＮにすることで、大腿部用エアバッグ５，５および腰部用エアバッグ６，６が動作する。ヒーターボタン１２をＯＮにすることで、大腿部ヒーター７，７および腰部ヒーター８が入る。
【００２３】
図３、図４はこのマッサージ機能付きシート１の互いに異なる使用状態を示す。図３は、椅子２０の座面２１に置いたマッサージ機能付きシート１に使用者３０が腰かけて使用する状態である。図４は、床面２２に置いたマッサージ機能付きシート１に使用者３０が座って使用する状態である。いずれの状態も、先に説明したように、使用者３０の腰回りが座部２、腰当て部３、および左右の側縁部４，４で囲まれた空間に嵌り込むことで、安定した姿勢を保つことができると共に、前後位置保持材３ａが使用者の背筋に当接することで、背筋が伸びた正しい姿勢に保つことができる
【００２４】
図３、図４の状態で電源ボタン１１をＯＮにすると、大腿部用エアバッグ５，５および腰部用エアバッグ６，６が動作して、使用者の左右の大腿部および腰部に対してそれぞれマッサージ効果を与える。また、ヒーターボタン１２をＯＮにすると、大腿部ヒーター７，７および腰部ヒーター８が入り、使用者の左右の大腿部および腰部を温める。温めながらマッサージをすることにより、マッサージ効果が高まる。エアバッグ５，５，６，６の動作強度を複数段階に変えられるように、設定してもよい。また、大腿部ヒーター７，７および腰部ヒーター８がそれぞれ個別に入るように、ヒーターボタン１２を設定してもよい。
【００２５】
また、エアバッグの動作設定において、大腿部用エアバッグ５，５および腰部用エアバッグ６，６を左右交互に動作させると、上記したようにマッサージ機能付きシート１全体が左右前後に軽くゆらゆらと揺動する形態をしているので、使用者の体を軽く揺らすように刺激しながらマッサージを施すことができる。このように、エアバッグを交互動作させることで使用者にバランスを意識させながらマッサージを施すモードと、全体のエアバッグを同時に同調して作動させることで、腰と臀部をしっかりマッサージをするモードとに使い分けることができる、
【００２６】
上記のように、このマッサージ機能付きシート１は、図３のように椅子２０の座面２１に置いて使用することも、図４のように床面２２に置いて使用することも可能である。このため、使用者３０の生活様式に合わせて、好みの空間で使用することができる。また、椅子２０に腰かけた姿勢で使用できるため、足の曲げ伸ばしが不自由な人や、床に座った状態から起き上がるのが困難な人にとって、楽にマッサージを受けることができる。
【００２７】
図３では複数本の脚２０ａを有する椅子２０の座面２１にマッサージ機能付きシート１を置いて使用しているが、ソファ（図示せず）の座面にマッサージ機能付きシート１を置いて使用してもよい。椅子２０の場合、キャスター等を有しない安定性のよいものが適する。ソファの場合、座面が固めで沈み込みが少ないものが適する。
【００２８】
場合によっては、図５に示すように、図３と比べて座部２と腰当て部３とが逆になるようにして使用してもよい。すなわち、使用者３０は、椅子２０の座面２１に置かれた腰当て部３の上に腰かけ、垂直に立ち上った座部２に腰部および背中を当てる。この状態で大腿部用エアバッグ５，５および腰部用エアバッグ６，６を動作させると、大腿部用エアバッグ５，５によって腰部および背中がマッサージされると共に、腰部用エアバッグ６，６により臀部がマッサージされる。かかる使用により、背中や臀部も積極的にしっかりマッサージすることができる。
【００２９】
この使用方法の場合、マッサージ機能付きシート１の姿勢が少し不安定になるため、体の当接部位に対してシート１自体の揺動効果が加わり、上記したバランスモード的な使用を行うことできる。また、不安定に感じる場合は、両手を伸ばして背中側からシート１の逆位置にある座部２の裏側を押さえてマッサージを行えば、肩甲骨周りを伸ばした状態でマッサージを行え、ストレッチ効果も発揮してより効果的なマッサージを行うことができる。
【００３０】
また、床面に置いて使用する場合についても、図４に示す使用状態から座部２と腰当て部３とを逆にして使用すれば、上記と同様にバランス的モードやしっかりモードといった使用ができる（図示せず）。
【産業上の利用可能性】
【００３１】
このマッサージ機能付きシート１は、椅子の座面に置いて使用することも、床面に置いて使用することもできるため、使用者の生活様式に合わせて使い分けができる。また、比較的簡易な構成であるため、容易に動かすことができ、しかも安価に製作することができる。このため、一般家庭で使用するのに適する。また、長時間走行する長距離バス等の座席で使用するようにすれば、利用者に対する疲れ対策にもなってバス運用サービスの向上に貢献することができる。その他の乗り物における座席での使用もでき、用途は家庭用に限らず、汎用的な使用が可能となる。
【符号の説明】
【００３２】
１  マッサージ機能付きシート
２  座部
３  腰当て部
３ａ  前後位置保持弾性材
４  側縁部
５  大腿部用エアバッグ
６  腰部用エアバッグ
７  大腿部用ヒーター
８  腰部用ヒーター
２０  椅子
２１  座面
３０  使用者
【図１】
0003220425.tif 000003
【図２】
0003220425.tif 000004
【図３】
0003220425.tif 000005
【図４】
0003220425.tif 000006
【図５】
0003220425.tif 000007